(57)【特許請求の範囲】
【請求項１】
利用者を撮影した撮影画像に、利用者が作成した編集画像が合成された印刷画像を作成する画像編集装置であって、
第１入力手段および第２入力手段を用いて所定の情報の入力が行なわれる編集画面を表示する表示手段を備え、
前記編集画面は、
前記利用者を撮影した複数の撮影画像の中から選択された１の撮影画像が表示される第１選択画像表示領域、および、複数の編集用素材を表示する第１編集用素材表示領域を含み、前記第１入力手段を用いて利用者が編集画像を作成する第１編集領域と、
前記利用者を撮影した複数の撮影画像の中から選択された１の撮影画像が表示される第２選択画像表示領域、および、複数の編集用素材を表示する第２編集用素材表示領域を含み、前記第２入力手段を用いて利用者が編集画像を作成する第２編集領域と、
前記第１選択画像表示領域と前記第２選択画像表示領域との間に配置され、前記第１入力手段および前記第２入力手段のいずれにも用いられ、編集画像作成時において、前記第１入力手段および前記第２入力手段により選択される複数のペン先の種類、および、複数のペン色の種類を表示するペンツール表示領域と、
を含み、
前記第１編集用素材表示領域が選択状態となったとき、前記第１編集用素材表示領域の中から、選択状態になる直前に選択された前記編集用素材には、直前選択表示が表示され、
前記第２編集用素材表示領域が選択状態となったとき、前記第２編集用素材表示領域の
中から、選択状態になる直前に選択された前記編集用素材には、直前選択表示が表示される、画像編集装置。
【請求項２】
複数の前記ペン先の種類、および、複数の前記ペン色の種類は、行列状に配置されるとともに、奇数に並べられた行を含む、請求項１に記載の画像編集装置。
【請求項３】
複数の前記ペン先の種類、および、複数の前記ペン色の種類の内、選択された複数の前記ペン先の種類、および、複数の前記ペン色の種類には、前記第１入力手段および／または前記第２入力手段により選択された選択表示が表示される、請求項１または２に記載の画像編集装置。
【発明の詳細な説明】
【技術分野】
【０００１】
この発明は、シール自動販売機に用いられる画像編集装置に関する。
【背景技術】
【０００２】
写真撮影ブースにおいて、利用者が自らを含む被写体を撮影し、撮影された写真画像に好みのフレーム、らくがきと称する文字図柄の描画、背景を画像合成し、合成画像をシールプリントとして印刷出力するシール自動販売機（写真撮影ブース付きプリント自動販売機）が知られている。
【０００３】
このような、シール自動販売機は、写真画像にらくがきを行なうための画像編集装置を備えており、特開２００３−２３１３２１号公報（特許文献１）、特開２００５−２１０２７２号公報（特許文献２）、特開２００９−１３４０３６号公報（特許文献３）、特開２０１１−２３２６３０号公報（特許文献４）、特開２０１２−１４１４３９号公報（特許文献５）、特開２０１３−１３７４７７号公報（特許文献６）、および、特許第５５４９７６２号公報（特許文献７）に画像編集装置が開示されている。
【０００４】
上記各文献に開示される画像編集装置においては、写真画像を用いて印刷用画像を作成するために、モニタ画面上の写真画像に、文字、絵等を描画するペンツール表示領域や、文字、図形等を表した個々のスタンプ画像を選択して写真画像上の所望の位置に配置するスタンプツール等、らくがきに際して様々な機能が用意されている。特に、写真画像に、文字、絵等を描画するペンツール表示領域は利用者に人気があり、らくがきに欠かせないツールとなっている。
【０００５】
より具体的には、例えば特許文献５の図１２に示されるように、「ペン」、「スタンプコロコロ」、「いろいろ」等のツールを選択するためのボタンが配置されている。いずれかのツールを選択すると、そのツールに対応したコンテンツパレットが表示される。コンテンツパレットは、「ショッキングカラー」、「パッピーファイン」、・・・「レディブラック」等テイストにより区分され、そのテイスト名が記載されたタブを切り替えることにより、その「ツール」内の選択した「テイスト」のコンテンツが表示され、編集で利用できるようになっている。
【先行技術文献】
【特許文献】
【０００６】
【特許文献１】特開２００３−２３１３２１号公報
【特許文献２】特開２００５−２１０２７２号公報
【特許文献３】特開２００９−１３４０３６号公報
【特許文献４】特開２０１１−２３２６３０号公報
【特許文献５】特開２０１２−１４１４３９号公報
【特許文献６】特開２０１３−１３７４７７号公報
【特許文献７】特許第５５４９７６２号公報
【発明の概要】
【発明が解決しようとする課題】
【０００７】
上記画像編集装置において、モニタ画面上に表示された写真画像に対して、二人の利用者がそれぞれ好みのらくがきを行なう場合がある。このような場合には、モニタ画面上に二人の利用者がそれぞれ選択した画像が左右に表示され、それぞれの画像に対して、各利用者が個々のらくがきを行なう。
【０００８】
その際、モニタ画面には、ペンツール表示領域、スタンプツール等のらくがきを行なうための同じツール（アイコン）が、左右にそれぞれ配置されることとなる。その結果、モニタ画面の大きさには制限があることから、デザイン的に煩雑に配置されている印象を利用者に与えることになる。また、各ツール内の機能を選択する場合にも表示が小さくなり、所望のツールに到達するまでに時間を要する不具合も考えられる。
【０００９】
また、上述の特許文献５のような従来のパレットの表示方法では、「スタンプ」と「ペン」を同時に表示することができず、これらを見比べながら編集ツールを選択することができなかった。
【００１０】
したがって、本発明の目的は、より需要者（利用者）のらくがきに対する利便性の向上を図った画像編集装置を提供することにある。
【課題を解決するための手段】
【００１１】
この発明に基づいた画像編集装置においては、利用者を撮影した撮影画像に、利用者が作成した編集画像が合成された印刷画像を作成する画像編集装置であって、第１入力手段および第２入力手段を用いて所定の情報の入力が行なわれる編集画面と、上記編集画面において、上記利用者を撮影した複数の撮影画像の中から選択された１の撮影画像が表示されるとともに、上記第１入力手段を用いて利用者が編集画像を作成する第１編集領域と、上記編集画面において、上記利用者を撮影した複数の撮影画像の中から選択された１の撮影画像が表示されるとともに、上記第２入力手段を用いて利用者が編集画像を作成する第２編集領域と、上記第１編集領域と上記第２編集領域との間に配置され、上記第１入力手段および上記第２入力手段のいずれにも用いられ、編集画像作成時において、上記第１入力手段および上記第２入力手段により選択される複数の編集用素材を表示する中央編集用素材表示領域とを備え、複数の上記編集用素材は、行列状に配置されるとともに、奇数に並べられた行を含む。
【００１２】
他の形態では、上記編集画面は、タッチパネル式の操作モニタであり、上記第１入力手段は、左側用タッチペンであり、上記第２入力手段は、右側用タッチペンである。
【００１３】
他の形態では、上記中央編集用素材表示領域は、ペンツール表示領域であり、複数の上記編集用素材は、ペン先の種類、および、ペン色の種類である。
【００１４】
他の形態では、複数の上記編集用素材の内、選択された上記編集用素材には、選択表示が表示される。
【００１５】
他の形態では、上記第１編集領域は、複数の編集用素材を表示する第１編集用素材表示領域を含み、上記第１編集用素材表示領域の中から直前に選択された上記編集用素材には、直前選択表示が表示され、上記第２編集領域は、複数の編集用素材を表示する第２編集用素材表示領域を含み、上記第２編集用素材表示領域の中から直前に選択された上記編集用素材には、直前選択表示が表示される。
【発明の効果】
【００１６】
この発明によれば、より需要者（利用者）のらくがきに対する利便性の向上を図った画像編集装置を提供することを可能にする。
【図面の簡単な説明】
【００１７】
【図１】実施の形態における写真プリント作成装置を示す第１斜視図である。
【図２】実施の形態における写真プリント作成装置を示す第２斜視図である。
【図３】実施の形態における写真プリント作成装置の機能ブロックを示す図である。
【図４】実施の形態における写真プリント作成装置における作成方法の全体フローを示す図である。
【図５】実施の形態における画像編集装置の操作モニタに表示される編集画面を示す図である。
【図６】実施の形態における画像編集装置の操作モニタに映し出されるペンツール表示領域の画像を示す図である。
【図７】実施の形態におけるペンツール表示領域内の所定の線種が選択された状態を示す第１の図である。
【図８】実施の形態におけるペンツール表示領域内の所定の線種が選択された状態を示す第２の図である。
【図９】実施の形態におけるペンツール表示領域内の所定の線種が選択された状態を示す第３の図である。
【図１０】関連技術におけるペンツール表示領域内の線種のレイアウトを示す第１の図である。
【図１１】関連技術におけるペンツール表示領域内の線種のレイアウトを示す第２の図である。
【図１２】実施の形態におけるペンツール表示領域内の線種のレイアウトを示す第１の図である。
【図１３】実施の形態におけるペンツール表示領域内の線種のレイアウトを示す第２の図である。
【図１４】実施の形態におけるペンツール表示領域内の線種のレイアウトを示す第３の図である。
【図１５】実施の形態におけるペンツール表示領域内の線種のレイアウトを示す第４の図である。
【図１６】実施の形態におけるペンツール表示領域内の線種のレイアウトを示す第５の図である。
【図１７】実施の形態におけるペンツール表示領域内の線種のレイアウトを示す第６の図である。
【図１８】実施の形態におけるらくがきを開始する前に操作モニタに映し出されるガイダンス画像を示す図である。
【図１９】本実施の形態におけるらくがきを開始した場合の課題を有する選択表示画面を表示する図である。
【図２０】実施の形態におけるらくがき中にタッチペンが操作された場合の選択表示に関する判別工程を示す図である。
【図２１】図２０の判別行程により表示される編集画面を示す図である。
【図２２】図２０の判別行程により表示される編集画面の他の例を示す図である。
【図２３】図２０の判別行程により表示される編集画面の他の例を示す図である。
【図２４】図２０の判別行程により表示される編集画面の他の例を示す図である。
【図２５】図２０の判別行程により表示される編集画面の他の例を示す図である。
【発明を実施するための形態】
【００１８】
本発明に基づいた実施の形態における写真プリント作成装置、写真プリント作成方法、および、画像編集装置について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。
【００１９】
（写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００２０】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００２１】
事前接客装置２０１は、コイン投入口２１０、操作モニタ２２０、および、スピーカ２３０を有する。撮影装置３００は、撮影用カメラ３１０、操作モニタ３２０、および、照明器具３３０、３４０を有する。画像編集装置４００は、操作モニタ４１０およびタッチペン４２０を有する。事後接客装置５００は、操作モニタ５１０および写真シール受取口５２０を有する。
【００２２】
（写真プリント作成装置１の機能ブロック）
図３を参照して、本実施の形態の写真プリント作成装置１の機能ブロックについて説明する。図３は、写真プリント作成装置１の機能ブロックを示す図である。
【００２３】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００２４】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２５】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２６】
本実施の形態では、ＣＰＵ１００３が制御プログラムを実行することにより、制御基板１００２が発光制御部１１００を介して、照明器具３３０、３４０の発光を制御する。
【００２７】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００２８】
通信部１００６は、インターネット等のネットワークを介して図示しないサーバと通信する。
【００２９】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００３０】
スピーカ２３０は、コンピュータ装置１００１から与えられる指示信号に基づいて、案内音声、ＢＧＭなどを出力する。
【００３１】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力された利用者の操作に応じて、制御信号を制御基板１００２に送信する。
【００３２】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３３】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により利用者（被写体）以外の領域を検知する。コンピュータ装置１００１は、利用者映像の顔部分に画像処理を施し、所定の画像サイズとなるように利用者映像をトリミングする。これにより、利用者を撮影した画像を用いた撮影画像が生成される。また、被写体以外の領域に選択された所望の背景画像を合成する。
【００３４】
コンピュータ装置１００１は、画像編集処理を実行する。コンピュータ装置１００１は制御プログラムを実行し、編集用の操作モニタ（編集用ディスプレイ）４１０、左側用タッチペン４２０Ｌ、および、右側用タッチペン４２０Ｒを用いた入力操作に応じて、制御信号を制御基板１００２に送信する。コンピュータ装置１００１は、操作モニタ４１０と接続され、それらを制御する。
【００３５】
操作モニタ４１０は、右側用タッチペン４２０Ｒ、および、左側用タッチペン４２０Ｌ等の接触を検知し、それに応じた指示信号をコンピュータ装置１００１に送信する、いわゆるタッチパネル方式である。操作モニタ４１０は、コンピュータ装置１００１から送信された編集画像を写真画像上に重ねて表示する。
【００３６】
スピーカ（図示省略）は、コンピュータ装置１００１から与えられる指示信号に基づいて、編集プレイのための操作方法などの案内、ＢＧＭなどを出力する。
【００３７】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者は携帯端末に写真画像、合成画像を取得できる。
【００３８】
コンピュータ装置１００１は、利用者の要求に応じて生成された合成画像および印刷画像を取得するのに必要なアクセス情報（たとえばＵＲＬ）を、非接触通信装置を介して利用者の携帯端末に送信してもよい。
【００３９】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００４０】
制御基板１００２は、コンピュータ装置１００１の他に、蛍光灯、コイン制御部、およびサービスパネルに接続される。
【００４１】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００４２】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップＳ２０）。撮影画像には、利用者の上半身が撮影された写真画像（アップ画像）、利用者の全身が撮影された写真画像（全身画像）が含まれ、いずれか一方、または、両方を撮影する。一例として、アップ画像を４回撮影し、全身画像を２回撮影する。なお、これらの回数は適宜変更され、アップ画像を３回撮影し、全身画像を３回撮影してもよい。
【００４３】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で作成した「編集画像」を合成し、「合成画像」を生成する写真画像合成処理を行なう（ステップＳ４０）。
【００４４】
生成した合成画像を所定のレイアウトに配置した複数のレイアウトを利用者に提示してレイアウトの選択を受け付け（ステップＳ５０）、選択を受け付けたレイアウトにしたがって合成画像を配置して、シートデザイン画像に合成画像が組み込まれた印刷画像を生成する印刷画像処理を行なう（ステップＳ６０）。
【００４５】
なお、上記合成画像の中には、らくがき処理で作成した編集画像が合成されていない処理画像も含まれるものとする。以下の説明において用いる合成画像も同様である。
【００４６】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００４７】
ここで、写真プリント用紙に印刷する印刷画像としての合成画像を作成する場合、通常、利用者を撮影した複数の撮影画像に対して、撮影画像の後方にレイアウトされる背景画像、撮影画像の前方にレイアウトされるフレーム画像、撮影画像を元に明るさや目の大きさ、脚の長さ等の処理が施された処理画像が形成される。さらに、利用者によるらくがき等の編集画像が合成されて、合成画像（印刷画像）が作成される。なお、後述する各区画の周囲を取り囲むように設けられる装飾模様は、本実施の形態では、フレーム画像に設けられている。
【００４８】
また、本実施の形態では、撮影画像には、処理画像を含む撮影画像、および、処理画像を含まない撮影画像のいずれをも含むものとする。
【００４９】
なお、本実施の形態では、編集画像としては、背景画像、フレーム画像、スタンプ画像、および、ペン入力画像等の編集用画像で構成されるが撮影画像および処理画像以外に、他の画像を含む場合には、その画像も編集画像に含まれる。
【００５０】
さらに、編集画像の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、背景画像やフレーム画像は、合成しない処理を行なってもよい。
【００５１】
したがって、本実施の形態においては、背景画像、フレーム画像、スタンプ画像、およびペン入力画像等の編集用画像の少なくとも１つの画像を用いない場合や、少なくとも１つの画像が異なっている場合には、編集画像が異なっているといえる。
【００５２】
（画像編集装置４００）
次に、図５から図９を参照して、画像編集装置４００による画像編集について説明する。図５は、画像編集装置４００の操作モニタ４１０に表示される編集画面を示す図、図６は、画像編集装置４００の操作モニタ４１０に映し出されるペンツール表示領域１０００Ｃの画像を示す図、図７から図９は、実施の形態におけるペンツール表示領域１０００Ｃの所定の線種が選択された状態を示す第１から第３の図である。
【００５３】
図５に示すように、画像編集装置４００の操作モニタ４１０には、利用者を撮影した複数の撮影画像の中から選択された１の撮影画像が表示されるとともに、左側用タッチペン４２０Ｌを用いて利用者が編集画像を作成する左側画像表示領域１０００Ｌと、同様に利用者を撮影した複数の撮影画像の中から選択された１の撮影画像が表示されるとともに、右側用タッチペン４２０Ｒを用いて利用者が編集画像を作成する右側画像表示領域１０００Ｒとが表示されている。
【００５４】
左側画像表示領域１０００Ｌにおいて、中央部には、利用者を撮影した複数の撮影画像が表示される左側画像選択枠１２００Ｌから選択された１の撮影画像が表示される左側選択画像表示領域１１００Ｌが設けられている。図示では、左側選択画像表示領域１１００Ｌは円形であるが矩形であってもよい。
【００５５】
また、左側画像表示領域１０００Ｌは、左側選択画像表示領域１１００Ｌの下方領域に、複数の編集用素材を表示する左側編集用素材表示領域１３１０Ｌが設けられている。左側編集用素材表示領域１３１０Ｌの上部には、複数の編集用素材のカテゴリを選択するタグ領域１３００Ｌが設けられている。
【００５６】
同様に、右側画像表示領域１０００Ｒにおいて、中央部には、利用者を撮影した複数の撮影画像が表示される右側画像選択枠１２００Ｒから選択された１の撮影画像が表示される右側選択画像表示領域１１００Ｒが設けられている。図示では、右側選択画像表示領域１１００Ｒは円形であるが矩形であってもよい。
【００５７】
また、右側画像表示領域１０００Ｒは、右側選択画像表示領域１１００Ｒの下方領域に、複数の編集用素材を表示する右側編集用素材表示領域１３１０Ｒが設けられている。右側編集用素材表示領域１３１０Ｒの上部には、複数の編集用素材のカテゴリを選択するタグ領域１３００Ｒが設けられている。
【００５８】
さらに、本実施の形態においては、左側画像表示領域１０００Ｌと右側画像表示領域１０００Ｒとの間に、左側用タッチペン４２０Ｌおよび右側用タッチペン４２０Ｒのいずれにも用いることが可能で、編集画像作成時において、左側用タッチペン４２０Ｌおよび右側用タッチペン４２０Ｒにより選択される複数の編集用素材を表示する中央編集用素材表示領域としてペンツール表示領域１０００Ｃが設けられている。
【００５９】
図６を参照して、ペンツール表示領域１０００Ｃには、ペン種表示領域１０１０として、ペン先の種類、および、ペン太さの種類が表示され、ペン色表示領域１０２０として、ペン色の種類が表示されている。また、ペン太さの種類、編集用素材の裏側に描画するか否かの「文字した」ボタンが表示されている。ここでは、ペン先の太さについては、左用ペン太さ選択領域１０１０Ｌおよび右用ペン太さ選択領域１０１０Ｒがそれぞれ設けられている。ペン太さは、上から「極太」、「太」、「中」、「細」、および「極細」の五段階の選択が用意されている。左用ペン太さ選択領域１０１０Ｌは左側用タッチペン４２０Ｌのみからの選択操作を受け付け、右用ペン太さ選択領域１０１０Ｒは右側用タッチペン４２０Ｒのみからの選択操作を受け付ける。
【００６０】
左用ペン太さ選択領域１０１０Ｌおよび右用ペン太さ選択領域１０１０Ｒの上方には、選択されたペン先の種類のサンプルが表示される左用サンプル表示領域１０１２Ｌおよび右用サンプル表示領域１０１２Ｒが設けられている。
【００６１】
ペン先の種類、および、ペン色の種類については、いずれも行列状に配列され、ペンパレット、および、カラーパレットを形成する。これらパレットは左右共通であり、左側用タッチペン４２０Ｌおよび右側用タッチペン４２０Ｒのいずれのタッチペンからの選択操作を受け付ける。
【００６２】
ペンパレットにおいては、ペン先の種類（編集用素材）として、「ノーマル」、「オシャレ」、「かすれ」、「ぼかし」、「マーカー」、「白ネオン」、「黒ネオン」、「水性」、「ボールペン」、「マジック」、「えんぴつ」、「グラデーション」、「ふちかけ」、「細ペン」、「水性」、「ボールペン」、「マジック」、および「えんぴつ」が予め用意されている。
【００６３】
図６に示す状態においては、左側用タッチペン４２０Ｌを用いて、利用者により、ペン太さとして「中」が選択され、選択表示として太枠で囲まれた表示がなされている。また、右側用タッチペン４２０Ｒを用いて、利用者により、ペン太さとして「極太」が選択され、選択表示として太枠で囲まれた表示がなされている。
【００６４】
また、ペンパレットにおいては、左側用タッチペン４２０Ｌを用いて、利用者により、「ノーマル」が選択され、図７（Ａ）に示すように、選択表示として左向きの三角矢印ＬＹと太枠で囲まれた表示がなされている。また、選択表示として太枠で囲まれた表示の色を左側用と右側用とで変更してもよい。そうすることで、よりどちらの選択かが分かるようになる。また、図７（Ｂ）に示すように、太枠を半円にすることで、左側の利用者が選択中であっても、右側の利用者が同じペン先の種類の利用が可能であることをより明確にしてもよい。
【００６５】
また、右側用タッチペン４２０Ｒを用いて、利用者は、「マジック」を選択し、図８（Ａ）に示すように、選択表示として右向きの三角矢印ＲＹと太枠で囲まれた表示がされている。また、選択表示として太枠で囲まれた表示の色を左側用と右側用とで変更してもよい。そうすることで、よりどちらの選択かが分かるようになる。また、図８（Ｂ）に示すように、太枠を半円にすることで、右側の利用者が選択中であっても、左側の利用者が同じペン先の種類の利用が可能であることをより明確にしてもよい。
【００６６】
なお、左側用タッチペン４２０Ｌおよび右側用タッチペン４２０Ｒにより同じ編集用素材が選択された場合には、図９（Ａ）に示すように、左向きの三角矢印ＬＹおよび右向きの三角矢印ＲＹが同時に表示される。また、選択表示として太枠で囲まれた表示の色を左側用と右側用とで変更してもよい。そうすることで、よりどちらの選択かが分かるようになる。また、図９（Ｂ）に示すように、太枠を半円にすることで、左右の利用者が同時に選択中であることをより明確にしてもよい。
【００６７】
再び、図６を参照して、編集用素材として、ペン色の種類については、図面において色の表示が省略しているが、２６色のペン色のパレットを用意しており、左側用タッチペン４２０Ｌにより、利用者は、ペン色１０２０Ｌを選択し、図６に示すように、選択表示として左向きの三角矢印と太枠で囲まれた表示がされており、右側用タッチペン４２０Ｒにより、利用者は、ペン色１０２０Ｒを選択し、図６に示すように、選択表示として右向きの三角矢印と太枠で囲まれた表示がされている。
【００６８】
ここで、ペン先の種類のペンパレット、および、ペン色の種類のカラーパレットにおいては、いずれも、複数の編集用素材は、行列状に配置されるとともに、奇数に並べられた行を含むことを特徴としている。たとえば、ペン先の種類のペンパレットにおいては、１行目は４個（４列）、２行目は３個（３列）、３行目は４個（４列）、４行目は３個（３列）、５行目は４個（４列）である。また、ペン色のカラーパレットにおいては、１行目は９個（９列）、２行目は８個（８列）、３行目は９個（９列）である。
【００６９】
このように、ペン先の種類のペンパレット、および、ペン色のカラーパレットにおいて、複数の編集用素材を行列状に配置するとともに、奇数に並べられた行を含むことにより、無意識のうちに生じる左右の隔たりが無くなり、左側の利用者であっても、右側に位置する編集用素材を自由に利用し、反対に、右側の利用者であっても、左側に位置する編集用素材を自由に利用することを促すことができる。
【００７０】
ここで、図１０から図１７を参照して、複数の編集用素材を行列状に配置することについて説明する。図１０および図１１は、関連技術におけるペンツール表示領域内の線種のレイアウトを示す第１および第２の図である。図１２から図１７は、実施の形態におけるペンツール表示領域内の線種のレイアウトを示す第１から第６の図である。
【００７１】
たとえば、図１０に示すように、ペン種表示領域１０１０およびペン色表示領域１０２０として、各行に含まれる列の数を同じにして、列に含まれる個数を偶数にして編集用素材を配置した場合（図１０において、ペン種表示領域１０１０では各行とも４個（４列）、ペン色表示領域１０２０では各行とも８個（８列）配置した場合）には、無意識のうちに図１１に示すような左側用および右側用に区別する意識が働いてしまい、左側の利用者は、右用と意識した編集用素材は選択できない、右側の利用者は、左用と意識した編集用素材は選択できないと誤解してしまう。
【００７２】
なお、図６に示した、複数の編集用素材を行列状に配置するとともに、奇数に並べられた行を含む配列パターン以外にも、図１２に示すような３−３の行例配置、図１３に示すような１−３−１の行列配置、図１４に示す３−４−３−４の行列配置、図１５に示す２−４−３−４の行列配置、図１６に示す１−２−３−２−１の行列配置等、パレット領域の略中央部で縦に二つ分かれない配置であればよい。また、上記においては、編集用素材のアイコンは円形であったが、図１７に示すように正方形（矩形）のアイコンを採用してもよく、形状は特に限定されない。
【００７３】
ここで、図１８を参照して、画像編集装置４００による画像編集を開始する際の課題について説明する。画像編集装置４００による画像編集を開始する際に、左側画像表示領域１０００Ｌと右側画像表示領域１０００Ｒとの間に、ペンツール表示領域１０００Ｃが表示されていた場合には、利用者は、左右共通で利用するものだと認識はできるが、左側の利用者が選択しているペンの種類又はペンの色と同じものを右側の利用者が選択できないと誤解する場合が考えられる。
【００７４】
そこで、図１８に示すように、画像編集装置４００による画像編集を開始する際に、共通に使えるペンパレット、カラーパレットを含むペンツール表示領域１０００Ｃが表示されていること、および、同じペンの種類、又は同じペンの色を２人で同時に選択できることをポップ表示画面２０００を用いて、利用者にアナウンスするようにしてもよい。
【００７５】
また、画像編集を開始する際に、デフォルトで選択されているペンの種類（例えば、「ノーマル」）に、図９で示す左右の矢印を表示した選択表示をすることにより、同じペンの種類が左右で同時に選択できることを知らせてもよい。ペンの色についても同様である。
【００７６】
なお、図では、左側画像表示領域１０００Ｌにしかポップ表示画面２０００を表示していないが、右側画像表示領域１０００Ｒにも表示してもよい。また、ポップ表示画面は一定時間経過後に非表示となるようにしてもよいし、確認ボタンを設けて、利用者が確認ボタンを押下することで、非表示になってもよい。
【００７７】
（素材表示領域の選択表示）
次に、図１９から図２４を参照して、編集用素材に対する選択表示および直前に選択された選択表示について説明する。なお、図１９は、関連技術におけるらくがきを開始した場合の選択表示画面を表示する図、図２０は、らくがき中にタッチペンが操作された場合の選択表示に関する判別工程を示す図、図２１は、図２０の判別行程により表示される編集画面を示す図、図２２から図２５は、図２０の判別行程により表示される編集画面の他の例を示す図である。
【００７８】
上述した場合と同様に、左側画像表示領域１０００Ｌ又は右側画像表示領域１０００Ｒと、左右の利用者が共通で利用できるペンツール表示領域１０００Ｃとが同時に表示されていた場合には、左側画像表示領域１０００Ｌ又は右側画像表示領域１０００Ｒの編集用素材が編集入力可能に選択されているか、ペンツール表示領域１０００Ｃの編集用素材が編集入力可能に選択されている（アクティブ状態）かどうかの判断が困難になることが考えられる。
【００７９】
たとえば、図１９に示す選択状態では、左側編集用素材表示領域１３１０Ｌにおいては、編集用素材として「スペシャル」が選択され、スペシャルパレット全体に太線の選択枠が表示されるとともに、「ｐｉｎｋ×黒」および、左上の編集用素材に太線の選択枠が表示され、編集用素材のサイズとして「中」が選択されている。一方、ペンツール表示領域１０００Ｃにおいてはペン太さとして「中」が選択され、文字した（文字が画像よりも下のレイヤに表示される）として「ＯＦＦ」が選択され、ペン先の種類は「ノーマル」が選択され、それぞれのアイコンに選択表示がなされている。この場合、左側編集用素材表示領域１３１０Ｌとペンツール表示領域１０００Ｃとのどちらが選択されている（アクティブ状態）かどうかの判別がつかず、どちらの編集用素材が現在入力可能かわかりづらく、利用者が混乱を生じることが考えられる。
【００８０】
同様に、右側編集用素材表示領域１３１０Ｒにおいては、編集用素材として「スタンプ」が選択され、スタンプパレット全体に太線の選択枠が表示されるとともに、「ネーム」および、左上の編集用素材に太線の選択枠が表示され、編集用素材のサイズとして「中」が選択されている。一方、ペンツール表示領域１０００Ｃにおいてはペン太さとして「極太」が選択され、文字した（文字が画像よりも下のレイヤに表示される）として「ＯＮ」が選択され、ペン先の種類は「マジック」が選択され、それぞれのアイコンに選択表示がなされている。この場合、右側編集用素材表示領域１３１０Ｒとペンツール表示領域１０００Ｃとのどちらが選択されている（アクティブ状態）かどうかの判別がつかない。
【００８１】
そこで、利用者によるこのような混乱の発生を回避するために、図２０に示す選択表示画面を表示する判別工程を採用するとよい。まず、操作モニタ４１０において、タッチペンがダウン（検知）された否かを判別する（ステップ１０：以下単に「Ｓ１０」と称する）。タッチペンの検知が判別された場合には、検知した座標に編集用素材のアイコンが存在するか否かを判別する（Ｓ２０）。タッチペンの検知が判別されない場合（Ｓ２０でＮＯ）には、開始に戻る。
【００８２】
検知した座標に編集用素材のアイコンが存在する場合には（Ｓ２０でＹＥＳ）、ペングループ（ペンツール表示領域１０００Ｃ）か否かの判別を行なう（Ｓ３０）。ペングループでない場合（Ｓ３０でＮＯ）には、スタンプグループか否か（左側用タッチペン４２０Ｌの場合は左側画像表示領域１０００Ｌか否か、右側用タッチペン４２０Ｒの場合は右側画像表示領域１０００Ｒか否か）の判別に移行する（Ｓ６０）。ここで、「スタンプグループ」とは、「スタンプ」ツールだけではなく、左側編集用素材表示領域１３１０Ｌ又は右側編集用素材表示領域１３１０Ｒにおいて選択可能な、「スペシャル」「スタンプ」「オシャレ」「メッセージ」等のツールの総称である。なお、スタンプグループか否か(Ｓ６０)以降の処理については、ペングループか否か（Ｓ３０）以降の処理と同様である為、省略する。ただし、対象となるグループ(ペングループまたはスタンプグループ)は異なる。
【００８３】
一方、ペングループである場合(Ｓ３０でＹＥＳ)には、現在ペングループが選択された領域（アクティブ）になっているかどうかの判別を行なう（Ｓ４０）。現在ペングループが選択された領域（アクティブ）の場合(Ｓ４０でＹＥＳ)には、ペングループ内の前回選択したアイコンに表示されている選択表示枠を外し、今回選択したアイコンに選択表示枠を表示し（Ｓ５０）、開始に戻る。
【００８４】
一方、Ｓ４０において、現在、ペングループが選択された領域（アクティブ）でない場合(Ｓ４０でＮＯ)には、スタンプグループ内の、現在選択されている編集用素材アイコン及びその素材に関連するサイズボタン等を非選択状態（枠を外す）にする（Ｓ７０）。次に、ペングループ内の今回選択した編集用素材のアイコンに選択枠を付け、選択された領域（アクティブ）とする（Ｓ８０）。その後、編集用素材に関連するサイズボタン等を再選択し（Ｓ９０）、開始に戻る。
【００８５】
たとえば、図２１に示すように、現在選択されているペンツール表示領域１０００Ｃを破線で囲み、前回選択されていた左側編集用素材表示領域１３１０Ｌおよび右側編集用素材表示領域１３１０Ｒに付与されていた太線の選択枠（図１９参照）を外すようにすることで、現在ペングループが選択されている（アクティブ状態）ことが容易に認識することが可能となる。破線でなくても太い実線であってもよい。また、スタンプグループの太線の選択枠は当初よりなくてもよく、スタンプグループ内の各編集用素材アイコンの選択枠及び関連するアイコンの選択枠のみを非表示にするだけであってもよい。
【００８６】
また、一方でスタンプグループ内の前回選択されていた編集用素材の表示を希望する場合も考えられる。この場合には、図２２に示すように、スタンプグループ内の前回選択されていた編集用素材を表示する領域である、左側編集用素材表示領域１３１０Ｌにおける編集用素材として「スペシャル」、および、右側編集用素材表示領域１３１０Ｒにおける編集用素材として「スタンプ」を、ペンツール表示領域１０００Ｃとは線種の異なる枠を用いて表示するようにしてもよい。また、図２３に示すように、現在選択されているグループを太い実線の選択枠、選択されていないグループを細い破線で示す等、選択・非選択の状態が区別できるものであればよい。
【００８７】
さらに他の表示方法として、図２４に示すように、スタンプグループ内の前回選択されていた編集用素材を表示する領域である、左側編集用素材表示領域１３１０Ｌにおける編集用素材として「スペシャル」、および、右側編集用素材表示領域１３１０Ｒにおける編集用素材として「スタンプ」に、網掛けを施し、非選択状態であることを示してもよい。また、半透明の色彩、グレーアウト、彩度を下げる等により、左側編集用素材表示領域１３１０Ｌおよび左側編集用素材表示領域１３１０Ｌを、ペングループよりも目立たなくするようにしてもよい。
【００８８】
また、図２５に示すように、ペンツール表示領域１０００Ｃにおいて、現在選択されているペンの種類及びペンの色を利用者に対して明確にするために、編集入力を受け付ける、左側選択画像表示領域１１００Ｌの外側の近傍に吹き出し１１００ｆを設け、この吹き出しの中に現在選択中のペンの種類及びペンの色を表示するようにしてもよい。同様に、右側選択画像表示領域１１００Ｒの外側の近傍に吹き出し１１００ｆを設け、この吹き出しの中に現在選択中のペンの種類及びペンの色を表示するようにしてもよい。
【００８９】
このように、本実施の形態における画像編集装置においては、左側画像表示領域１０００Ｌと右側画像表示領域１０００Ｒとの間に、右側用タッチペン４２０Ｒおよび左側用タッチペン４２０Ｌのいずれにも用いられ、編集画像作成時において、右側用タッチペン４２０Ｒおよび左側用タッチペン４２０Ｌにより選択される複数の編集用素材を表示するペンツール表示領域１０００Ｃが表示され、複数の編集用素材は、行列状に配置されるとともに、奇数に並べられた行を含んでいる。
【００９０】
その結果、左側及び右側のそれぞれにペンツール表示領域を表示する場合と比べて、左側画像表示領域１０００Ｌおよび右側画像表示領域１０００Ｒの大きさを大きくすることが可能となり、またペンツールの種類を多く提供することが可能となり、利用者に対する利便性の向上を可能とする。また、複数の編集用素材は、行列状に配置されるとともに奇数に並べられた行を含むことから、無意識のうちに生じる左右の隔たりが無くなり、左側の利用者であっても、右側に位置する編集用素材を自由に利用し、反対に、右側の利用者であっても、左側に位置する編集用素材を自由に利用することを促すことができる。
【００９１】
なお、上記説明においては、ペンツール表示領域１０００Ｃには、編集用素材として、ペンパレットを表示するようにしたが、必ずしもペンパレットに限定される必要ない。たとえば、左側編集用素材表示領域１３１０Ｌおよび右側編集用素材表示領域１３１０Ｒに含まれる「スペシャル」、「スタンプ」、「オシャレ」、および、「メッセージ」のいずれかのツールを、ペンツール表示領域１０００Ｃに表示し、ペンツールを左側編集用素材表示領域１３１０Ｌおよび右側編集用素材表示領域１３１０Ｒの、ペンツール表示領域１０００Ｃに表示したツールと置きかえて表示してもよい。
【００９２】
また、上記実施の形態では、編集画面は、ポインティングデバイスの一例として、ペンタブレット式の操作モニタ４１０を用い、第１入力手段として左側用タッチペン４２０Ｌを用い、第２入力手段として右側用タッチペン４２０Ｒを用いる場合について説明しているがこれに限定されない。ポインティングデバイスの他の例として、タッチパネル式を用いてもよい。
【００９３】
また、上記実施の形態では、第１編集領域として左側画像表示領域１０００Ｌを採用し、第２編集領域として右側画像表示領域１０００Ｒを採用し、中央編集用素材表示領域としてのペンツール表示領域１０００Ｃを、左側画像表示領域１０００Ｌと右側画像表示領域１０００Ｒとの間に表示する場合について説明しているがこれに限定されない。たとえば、二人の利用者が対向するようにして画像編集装置を用いる場合には、第１編集領域および第２編集領域を前後に配置して、第１編集領域および第２編集領域の間に中央編集用素材表示領域を配置するようにしてもよい。
【００９４】
以上、本発明の実施の形態における写真プリント作成装置、写真プリント作成方法、および、画像編集装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【００９５】
１  写真プリント作成装置、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０Ｌ  左側用タッチペン、４２０Ｒ  右側用タッチペン、５００  事後接客装置（シール自動販売機用事後利用者操作機）、５１０  操作モニタ、５２０  写真シール受取口、６００  プリンタ、１０００  制御装置、１０００Ｃ  ペンツール表示領域、１０００Ｌ  左側画像表示領域、１０００Ｒ  右側画像表示領域、１００１  コンピュータ装置、１００２  制御基板、１００３  ＣＰＵ、１００４  ＨＤＤ、１００５  メモリ、１００６  通信部、１０１０，１０２０  ペン色表示領域、１０１７  クロマキーキャプチャボード、１０２０Ｌ，１０２０Ｒ  ペン色、１１００  発光制御部、１１００Ｌ  左側選択画像表示領域、１１００Ｒ  右側選択画像表示領域、１２００Ｌ  左側画像選択枠、１２００Ｒ  右側画像選択枠、１３１０Ｌ  左側編集用素材表示領域、１３１０Ｒ  右側編集用素材表示領域、１３００Ｌ，１３００Ｒ  タグ領域。
【図１】
0006600452.tif 000002
【図２】
0006600452.tif 000003
【図３】
0006600452.tif 000004
【図４】
0006600452.tif 000005
【図５】
0006600452.tif 000006
【図６】
0006600452.tif 000007
【図７】
0006600452.tif 000008
【図８】
0006600452.tif 000009
【図９】
0006600452.tif 000010
【図１０】
0006600452.tif 000011
【図１１】
0006600452.tif 000012
【図１２】
0006600452.tif 000013
【図１３】
0006600452.tif 000014
【図１４】
0006600452.tif 000015
【図１５】
0006600452.tif 000016
【図１６】
0006600452.tif 000017
【図１７】
0006600452.tif 000018
【図１８】
0006600452.tif 000019
【図１９】
0006600452.tif 000020
【図２０】
0006600452.tif 000021
【図２１】
0006600452.tif 000022
【図２２】
0006600452.tif 000023
【図２３】
0006600452.tif 000024
【図２４】
0006600452.tif 000025
【図２５】
0006600452.tif 000026